(57)【要約】      （修正有）【課題】道徳内容項目との関連に考慮した指導計画の作成を容易にする。【解決手段】年間計画作成システム１は、指導計画の作成する指導計画作成システムであって、指導計画を示す指導計画表を作成してディスプレイに表示する表示制御部４を備える。表示制御部４は、指導計画表において、教科の各単元と道徳内容項目とを関連付けて表示する。【選択図】図１
2019191911.tif 000002
【特許請求の範囲】
【請求項１】
指導計画を作成する指導計画作成システムであって、
前記指導計画を示す指導計画表を作成してディスプレイに表示する表示制御部を備え、
前記表示制御部は、前記指導計画表において、道徳以外の教科の各単元と道徳内容項目とを関連付けて表示する、指導計画作成システム。
【請求項２】
前記各単元を示す単元情報に道徳内容項目を示す情報を関連付けて格納する格納部を備え、
前記表示制御部は、前記格納部に格納された情報に基づいて、前記各単元と前記道徳内容項目とを関連付けて表示する、請求項１記載の指導計画作成システム。
【請求項３】
前記格納部は、道徳内容項目毎に設定された識別子を示す識別子情報を格納するものであり、
前記表示制御部は、前記指導計画表において、前記各単元と前記道徳内容項目の識別子とを並べて表示する、請求項１又は２記載の指導計画作成システム。
【請求項４】
前記格納部は、前記道徳内容項目毎に設定された表示色を示す色情報を格納するものであり、
前記表示制御部は、前記指導計画表において、前記各単元を前記道徳内容項目の表示色で表示する、請求項１乃至３の何れか一項に記載の指導計画作成システム。
【請求項５】
前記格納部は、前記道徳内容項目のうち学校又は学年の重点道徳目標の表示色を示す色情報を格納するものであり、
前記表示制御部は、前記指導計画表において、前記重点道徳目標に関連付けられた単元を、前記重点道徳目標の表示色で表示する、請求項４記載の指導計画作成システム。
【請求項６】
前記指導計画表において単元の順番又は時数を変更するための変更指令を受け付ける受付部を備え、
前記表示制御部は、前記変更指令に基づいて、前記指導計画表において前記単元の順番又は時数を変更する、請求項１乃至５の何れか一項に記載の指導計画作成システム。
【請求項７】
前記表示制御部は、前記指導計画表として教科毎の指導計画を時系列で一覧表示する年間計画表を作成してディスプレイに表示する、請求項１乃至６の何れか一項に記載の指導計画作成システム。
【請求項８】
前記表示制御部は、前記年間計画表とは別に、道徳内容項目別に各教科の単元を並べた一覧表を作成する、請求項７記載の指導計画作成システム。
【請求項９】
前記表示制御部は、前記年間計画表の内容に基づいて一週間の指導計画である週案を作成して表示する、請求項７又は８記載の指導計画作成システム。
【請求項１０】
指導計画の作成を補助する指導計画作成プログラムであって、
前記指導計画を示す指導計画表を作成してディスプレイに表示する表示制御部としての機能をコンピュータに備えさせるものであり、
前記表示制御部は、前記指導計画表において、教科の各単元と道徳内容項目とを関連付けて表示することを特徴とする、指導計画作成プログラム。
【発明の詳細な説明】
【技術分野】
【０００１】
本発明は、指導計画作成システム及び指導計画作成プログラムに関するものである。
【背景技術】
【０００２】
指導計画は、各教科、道徳、総合的な学習の時間及び特別活動のそれぞれについて、学年毎などに、指導内容、指導の順序、使用教材（教科書）、指導の時間配当等を具体的に定めた計画である。指導計画には、年間指導計画や２年間にわたる長期の指導計画から、学期毎、月毎又は週毎の指導計画に至るまで各種のものがある。
【０００３】
この指導計画は、使用教材（教科書）の内容、学習到達目標や評価規準、年間の単元ごとの配当授業時間などに基づいて先生により作成される。
【０００４】
この指導計画の作成の作業は先生の負担となることから、先生の負担を軽減するものとして、特許文献１に示す授業案立案支援システムが考えられている。
【０００５】
この授業案立案支援システムは、入力された教科書出版社名データを参照キーとして、立案データベースにおける教科書別単元名マスタから、教科名データ、大単元名データ、中単元名データ、小単元名データが読み出し、さらにその教科名データ、大単元名データ、中単元名データ、小単元名データを参照キーとして、到達目標・評価規準マスタから学年別・教科別に定められた授業時数データ、到達目標データ、評価規準データを読み出して、自動的に１年の授業案である年間計画表データを教科毎に作成するものである。
【先行技術文献】
【特許文献】
【０００６】
【特許文献１】特開２０１６−４８５１９号公報
【発明の概要】
【発明が解決しようとする課題】
【０００７】
ところで、各学校は、学習指導要領に記載されている所定の留意事項に配慮しながら、学校の創意工夫を活かし、全体として、調和のとれた具体的な指導計画を作成しなければならない。ここで、前記留意事項には、各教科、道徳、総合的な学習の時間及び特別活動等のそれぞれのねらいや内容を踏まえて相互に関連付けを図ることが定められている。
【０００８】
しかしながら、上記の授業案立案支援システムでは、各教科、道徳、総合的な学習の時間及び特別活動等のそれぞれのねらいや内容を踏まえて相互に関連付けを行うものではない。そうすると、それらを関連付けるためには、先生が試行錯誤しながら各教科の単元を個別に入力する必要がある。
【０００９】
特に、道徳と他の教科との関連付けを図るためには、道徳の内容項目（以下、道徳内容項目）と他の教科の各単元との関連付けを図る必要がある。
【００１０】
ここで、道徳内容項目には、「主として自分自身に関すること」として「善悪の判断、自立、自由と責任」など６項目、「主として人との関わりに関すること」として「親切、思いやり」など５項目、「主として集団や社会との関わりに関すること」として「規則の尊重」など７項目、「主として生命や自然、崇高なものとの関わりに関すること」として「生命の尊さ」など４項目がある。そうすると、道徳内容項目と他の教科の各単元との関連付けを図りつつ指導計画を作成することは、多大な時間と労力が必要となり、先生の負担が大きくなってしまう。
【００１１】
そこで本発明は、道徳内容項目との関連付けを図りつつ簡単に指導計画を作成することをその主たる課題とするものである。
【課題を解決するための手段】
【００１２】
すなわち本発明に係る指導計画作成システムは、指導計画を作成する指導計画作成システムであって、前記指導計画を示す指導計画表を作成してディスプレイに表示する表示制御部を備え、前記表示制御部は、前記指導計画表において、道徳以外の教科の各単元と道徳内容項目とを関連付けて表示することを特徴とする。
【００１３】
このようなものであれば、指導計画表において道徳以外の教科の各単元と道徳内容項目とを関連付けて表示するので、道徳以外の教科の指導計画を作成する際に道徳内容項目との関連を考慮しやすくなる。その結果、道徳内容項目との関連に考慮した指導計画の作成を容易にすることができる。
【００１４】
具体的に指導計画作成システムは、前記各単元を示す単元情報に道徳内容項目を示す情報を関連付けて格納する格納部を備えている。この場合、前記表示制御部は、前記格納部に格納された情報に基づいて、前記各単元と前記道徳内容項目とを関連付けて表示することが望ましい。
【００１５】
各単元と道徳内容項目との関連を表示する具体的な実施の態様としては、前記格納部は、前記道徳内容項目毎に設定された識別子を示す識別子情報を格納するものであり、前記表示制御部は、前記指導計画表において、前記各単元と前記道徳内容項目の識別子とを並べて表示することが望ましい。
【００１６】
さらに、前記格納部は、前記道徳内容項目毎に設定された表示色を示す色情報を格納するものであり、前記表示制御部は、前記指導計画表において、前記各単元を前記道徳内容項目の表示色で表示することが望ましい。
この構成であれば、指導計画を作成する先生が、各単元と道徳内容項目との関連を視覚的に認識しやすくすることができる。
【００１７】
全ての道徳内容項目について色分けしてしまうと、各単元と道徳内容項目との関連が分かりにくくなる恐れがある。そのため、前記格納部は、前記道徳内容項目のうち学校又は学年の重点道徳目標の色情報を格納するものであり、前記表示制御部は、前記指導計画表において、前記重点道徳目標に関連付けられた単元を、前記重点道徳目標の色情報が示す色で表示することが望ましい。
【００１８】
指導計画表に表示された内容を見て先生が単元を変更できるようにするためには、指導計画作成システムは、前記指導計画表において単元の順番又は時数を変更するための変更指令を受け付ける受付部を備えており、前記表示制御部は、前記変更指令に基づいて、前記指導計画表において前記単元の順番又は時数を変更することが望ましい。
【００１９】
複数の教科において横断的に道徳内容項目との関連を考慮して指導計画表を作成するためには、前記表示制御部は、前記指導計画表として教科毎の指導計画を時系列で一覧表示する年間計画表を作成してディスプレイに表示することが望ましい。
【００２０】
道徳内容項目毎に各教科の単元との関連を見るためには、前記表示制御部は、前記年間計画表とは別に、道徳内容項目別に各教科の単元を並べた一覧表を作成してディスプレイに表示することが望ましい。
【００２１】
年間計画表で設定された内容から容易に週案を作成して先生の週案作成の負担を減らすためには、前記表示制御部は、前記年間計画表の内容に基づいて一週間の指導計画である週案を作成してディスプレイに表示することが望ましい。
【００２２】
また本発明に係る指導計画作成プログラムは、指導計画の作成を補助する指導計画作成プログラムであって、前記指導計画を示す指導計画表を作成してディスプレイに表示する表示制御部としての機能をコンピュータに備えさせるものであり、前記表示制御部は、前記指導計画表において、教科の各単元と道徳内容項目とを関連付けて表示することを特徴とする。さらに、指導計画作成プログラムを格納した記録媒体も本発明の一態様である。
【発明の効果】
【００２３】
このように構成した本発明によれば、指導計画表において道徳以外の教科の各単元と道徳内容項目とを関連付けて表示するので、道徳内容項目との関連に考慮した指導計画の作成を容易にすることができる。
【図面の簡単な説明】
【００２４】
【図１】本実施形態の指導計画作成システムの機能構成を模式的に示す図である。
【図２】同実施形態の基本画面（初期設定画面）を示す図である。
【図３】同実施形態の行事画面を示す図である。
【図４】同実施形態の行事登録画面を示す図である。
【図５】同実施形態の道徳重点目標画面を示す図である。
【図６】同実施形態の教科別指導計画画面を示す図である。
【図７】同実施形態の年間計画画面を示す図である。
【図８】同実施形態の年間計画画面を示す図である。
【図９】同実施形態の単元編集画面を示す図である。
【図１０】同実施形態の一覧表（道徳別葉２）の一部を示す図である。
【図１１】同実施形態の週案画面を示す図である。
【発明を実施するための形態】
【００２５】
以下に、本発明に係る指導計画作成システムの一実施形態について、図面を参照して説明する。
【００２６】
本実施形態の指導計画作成システム１は、小学校又は中学校の先生が一年間の指導計画である年間計画、及び、一週間の指導計画である週案を作成するために用いるものである。なお、年間計画は管理職の先生が作成し、週案は管理職に限られない一般の先生が作成する。
【００２７】
この指導計画作成システム１は、ＣＰＵ、メモリ、入出力インターフェース、キーボードやマウス等の入力手段１０、ディスプレイ等の表示手段２０等を有する所謂コンピュータを用いて構成される。
【００２８】
そして、指導計画作成システム１は、前記メモリに格納された指導計画作成プログラムにしたがってＣＰＵやその周辺機器が協働することにより、図１に示すように、受付部２、格納部３、表示制御部４等としての機能を発揮する。
【００２９】
以下に各部２〜４の機能とともに指導計画作成システム１を用いた年間計画の作成及び週案の作成について説明する。なお、指導計画作成プログラムによって、年間計画を作成するための年間計画作成ソフトと、週案を作成するための週案作成ソフトとを有している。
【００３０】
（１）年間計画の作成
管理職の先生は、指導計画作成システム１においてマウスやキーボード等の入力手段１０を用いて年間計画を作成するための年間計画作成ソフトを立ち上げる。このとき、ディスプレイ２０にはログイン画面が表示され、当該ログイン画面において管理者用のパスワードを入力することにより、図２に示す基本画面Ｗ１がディスプレイ２０に表示される。なお、ログイン画面及び基本画面Ｗ１は表示制御部４によって表示される。ここで、基本画面Ｗ１の初期表示は初期設定画面である。
【００３１】
この基本画面Ｗ１には、初期設定画面（図２参照）を表示するための「初期設定」ボタンＢ１、標準時数画面（図示なし）を表示するための「標準時数」ボタンＢ２、行事画面Ｗ２（図３参照）を表示するための「行事」ボタンＢ３、道徳重点目標画面Ｗ３（図５参照）を表示するための「道徳重点目標」ボタンＢ４、教科別指導計画画面Ｗ４（図６参照）を表示するための「教科別指導計画」ボタンＢ５、年間計画画面Ｗ５（図７、図８参照）を表示するための「年間計画」ボタンＢ６などが表示されている。
【００３２】
そして先生は、各ボタンＢ１〜Ｂ６を選択（クリック）することによって各種の設定を行うことができる。なお、受付部２は、入力手段１０からボタン選択指令を受け付けて、表示制御部４は、選択されたボタンＢ１〜Ｂ６に対応する画面Ｗ２〜Ｗ５をディスプレイ２０に表示する。
【００３３】
図２に示すように、初期設定画面Ｗ１において、２学期制であるか３学期制であるかの期区間の設定と、各期間の日にち設定とが行われる。また、各教科に用いる教科書の設定が行われる。
【００３４】
先生が入力手段１０を用いて所定の入力を行った後に、「保存」ボタンＢ７をクリックすることで、初期設定画面Ｗ１により設定された情報を示す初期設定データが格納部３に格納される。
【００３５】
標準時数画面（図示なし）において、各学年について各教科の標準時数及び週当たり時数の設定が行われる。また、科目の登録を行うこともできる。
【００３６】
先生が入力手段１０を用いて所定の入力を行った後に、「保存」ボタンをクリックすることで、標準時数画面により設定された情報を示す標準時数データが格納部３に格納される。
【００３７】
図３に示すように、行事画面Ｗ２において、各学年の学校行事等の入力が行われる。行事画面Ｗ２に表示された表示欄Ｘ１をクリックすると、行事登録画面Ｗ２１が表示される（図４参照）。この行事登録画面Ｗ２１において行事情報が入力される。また、行事登録画面Ｗ２１において、入力した行事に対して道徳内容項目（道徳項目）が設定される。その他、行事の日に授業を行うかどうかの設定も行うことができる。
【００３８】
先生が入力手段１０を用いて所定の入力を行った後に、「保存」ボタンＢ８をクリックすることで、行事画面Ｗ２の行事欄Ｘ１にその内容が反映される。なお、「保存」ボタンＢ８には、全学年の行事に反映して保存するボタンＢ８１と、現在の学年の行事に保存するボタンＢ８２とがある。
【００３９】
その後、行事画面Ｗ２の「保存」ボタンＢ９をクリックすると、行事画面Ｗ２により設定された情報を示す行事データが格納部３に格納される。格納部３には、各行事を示す行事情報と道徳内容項目を示す情報とが関連付けて格納される。
【００４０】
図５に示すように、道徳重点目標画面Ｗ３において、複数の道徳内容項目から、学校全体での道徳重点目標及び各学年での道徳重点目標が設定される。ここで、道徳重点目標は、優先順位を決めて設定することができる。図５では、道徳重点目標として最大５個の道徳内容項目を設定できるように構成されており、学校全体での道徳重点目標と、第１学年での道徳重点目標と、第５学年での道徳重点目標とが入力された例を示している。
【００４１】
また、この道徳重点目標画面Ｗ３には、「Ａ  主として自分自身に関すること」、「Ｂ  主として人との関わりに関すること」、「Ｃ  主として集団や社会との関わりに関すること」、「Ｄ  主として生命や自然、崇高なものとの関わりに関すること」の４グループに分けて、複数の道徳内容項目が一覧表示されている。この一覧表示において、各道徳内容項目に対応して識別番号（識別子）と表示色とが表示されている。各道徳内容項目に対応して表示された表示色は、当該表示色が表示された領域Ｘ２をクリックすることで変更することができる。なお、各道徳内容項目に対応する識別番号を示す識別番号データ及び初期の表示色を示す表示色データは、予め格納部３に格納されている。
【００４２】
先生が入力手段１０を用いて所定の入力を行った後に、「保存」ボタンＢ１０をクリックすることで、道徳重点目標画面Ｗ３により設定された情報を示す道徳重要目標データが格納部３に格納される。また、各道徳内容項目の表示色が変更された場合には、変更された表示色データも格納部３に格納される。
【００４３】
図６に示すように、教科別指導計画画面Ｗ４において、各学年における教科ごとの単元名、実施予定月、時数、単元のめあて等が設定される。また、教科別指導計画画面Ｗ４において、各単元に対して道徳内容項目（道徳項目）を設定及び変更することができる。なお、各単元に対する道徳内容項目の初期の関連付けデータは、予め格納部３に格納されている。
【００４４】
先生が入力手段１０を用いて所定の入力を行った後に、「保存」ボタンＢ１１をクリックすることで、教科別指導計画画面Ｗ４により設定された情報を示す教科別指導計画データが格納部３に格納される。教科別指導計画データにおいて、各単元を示す単元データと道徳内容項目を示す道徳内容項目データとが関連付けられている。
【００４５】
図７及び図８に示すように、年間計画画面Ｗ５において、各学年の教科毎の年間計画を示す年間計画表が表示され、年間計画の設定及び変更が行われる。この年間計画表は、上記の各画面Ｗ２〜Ｗ４で設定された各種データなどに基づいて、表示制御部４により作成されて表示される。なお、図７及び図８は、第５学年の年間計画表を示した例であり、図８は、図７の表示を右にスクロールした後の表示を示す図である。
【００４６】
年間計画表は、行又は列の一方を時間とし、行又は列の他方を教科として、教科毎の年間計画を時系列で一覧表示するものである。本実施形態では、行方向（横方向）を時間とし、列方向（縦方向）を教科とした場合の年間計画表である。そして、この年間計画表では、最も上に表示される科目を道徳としている。
【００４７】
そして、この年間計画表では、道徳内容項目と各教科（道徳を含む。）の各単元とが関連付けて表示される。なお、図７に示すように、年間計画表の上部に、「学校の道徳重点目標」の表示色と識別番号とが一覧表示され、「学年の道徳重点目標」の表示色と識別番号とが一覧表示される。また、図８に示すように、全ての「道徳内容項目」の表示色と識別番号とが一覧表示される。
【００４８】
年間計画表に表示された単元が道徳内容項目に関連付けられたものの場合には、その単元名と道徳内容項目の識別番号とが並べて表示される。本実施形態では、単元名が表示される「単元名」欄Ｘ３と道徳内容項目の識別番号が記載される「道徳・タグ」欄Ｘ４とが上下に並べて表示される。なお、１つの単元に対して複数の道徳内容項目が関連付けられている場合には、「道徳・タグ」欄Ｘ４には、関連付けられた全ての道徳内容項目の識別番号が表示される。
【００４９】
特に、年間計画表に表示された単元が道徳重点目標に関連付けられたものの場合には、その単元名が道徳重点目標の表示色により表示される。本実施形態では、単元名が表示される「単元名」欄Ｘ３が道徳重点目標の表示色に表示されている。その他、単元名の文字を道徳重点目標の表示色としてもよいし、「単元名」欄Ｘ３の枠を道徳重点目標の表示色としても良い。
【００５０】
ここで、１つの単元に対して学校の道徳重点目標と学年の道徳重点目標とが関連付けられている場合には、何れか一方の表示色で表示する。本実施形態では、その表示色を切り替えるための道徳色設定ボタンＢ１２が設けられている。この道徳色設定ボタンＢ１２は、学校の道徳重点目標を優先する「学校優先」チェック欄と、学年の道徳重点目標を優先する「学年優先」チェック欄とを有する。
【００５１】
また、１つの単元に複数の道徳重点目標が該当する場合には、「道徳・タグ」欄Ｘ４が例えば黄色等で表示される。この場合、「単元名」欄Ｘ３は、優先順位の最も高い道徳重点目標の表示色で表示される。
【００５２】
そして先生は、年間計画表の「単元名」欄Ｘ３をクリックすることによって、その内容を変更することができる。また、単元の入れ替えや時数の変更などもできる。さらに、「単元名」欄Ｘ３をクリックすることによって、当該単元に関連付けられる道徳内容項目も変更することができる。
【００５３】
具体的には、「単元名」欄Ｘ３をクリックすると、単元編集画面Ｗ５１（図９参照）が表示される。この単元編集画面Ｗ５１において、単元名の編集、単元の入れ替え（前と入れ替え、後と入れ替え）や時数の変更、及び道徳内容項目の変更を行うことができる。そして、「表に反映」ボタンＢ１３をクリックすると、年間計画表に反映される。なお、「単元名」欄Ｘ３を右クリックすることによっても単元の入れ替えを行うこともできる。
【００５４】
本実施形態では、年間計画表において道徳を最も上に表示して、道徳以外の教科の基準となるようにしているので、先生は、道徳の単元及びその道徳関連項目に合わせて、道徳以外の教科の単元を入れ替えたりする。また、道徳以外の教科の単元に関連付けられた道徳関連項目を基準に道徳の単元を入れ替えたりする。なお、年間計画表における科目の表示／非表示及びそれらの表示順は、「教科選択」ボタンＢ１４をクリックして表示される教科選択・並び順画面（図示なし）により変更することができる。また、「学年」ボタンＢ１５をクリックすることにより、表示する年間計画表の学年を変更することができる。
【００５５】
先生が入力手段１０を用いて所定の入力を行った後に、「印刷」ボタンＢ１６をクリックすることにより、年間計画画面Ｗ５に表示されている年間計画表が印刷される。また、「Ｅｘｃｅｌ出力」ボタンＢ１７をクリックすることにより、年間計画表を示す年間計画表データがＥｘｃｅｌデータに変換される。さらに、「保存」ボタンＢ１８をクリックすることで、年間計画表データが格納部３に格納される。
【００５６】
また、年間計画画面Ｗ５には、年間計画表から、道徳内容項目別に各教科の単元を並べた一覧表（道徳別葉２、図１０参照）を作成して印刷するための「印刷」ボタンＢ１９と、一覧表（道徳別葉２）を示す一覧表データをＥｘｃｅｌデータに変換するための「Ｅｘｃｅｌ出力」ボタンＢ２０が設けられている。この一覧表は、行又は列の一方を教科とし、行又は列の他方を道徳内容項目として一覧表示するものである。本実施形態では、行方向（横方向）を科目とし、列方向（縦方向）を道徳内容項目とした例を示している。
【００５７】
（２）週案の作成
次に、先生は、指導計画作成システム１においてマウスやキーボード等の入力手段を用いて週案を作成するための週案作成ソフトを立ち上げる。このとき、ディスプレイ２０にはログイン画面が表示され、当該ログイン画面においてログインするクラス、担任名及びパスワード等を入力することにより、指定したクラスの週案が作成されて週案画面Ｗ６（図１１参照）が表示される。このとき、受付部２は、週案作成指令を受け付けて、表示制御部４は、予め入力された時間割データ及び年間計画表データなどに基づいて、週案を作成して週案画面Ｗ６を表示する。ここで、年間計画作成の行事設定において「授業を行わない」とされた行事日には時間割を読み込まない。
【００５８】
図１１に示すように、週案画面には、一週間の時間割に合わせて、各科目の単元名、単元のめあて、当該単元に関連付けられた道徳内容項目の識別番号及びその略称などが表示される。これらの内容は、それらが表示されている欄Ｘ５をクリックすることによって変更することができる。なお、時間割読み込み後に休日設定した場合、単元やめあてをずらして表示する。
【００５９】
先生が入力手段１０を用いて所定の入力を行った後に、「印刷」ボタンＢ２１をクリックすることにより、ディスプレイ２０に表示された週案が印刷される。また、「Ｅｘｃｅｌ出力」ボタンＢ２２をクリックすることにより、週案を示す週案データがＥｘｃｅｌデータに変換されて出力される。さらに、「保存」ボタンＢ２３をクリックすることで、週案データが格納部３に格納される。
【００６０】
＜本実施形態の効果＞
本実施形態の指導計画作成システム１によれば、指導計画表（年間計画表及び週案）において道徳以外の教科の各単元と道徳内容項目とを関連付けて表示するので、道徳以外の教科の指導計画を作成する際に道徳内容項目との関連を考慮しやすくなる。その結果、道徳内容項目との関連に考慮した指導計画の作成を容易にすることができる。
【００６１】
＜その他の変形実施形態＞
なお、本発明は前記実施形態に限られるものではない。
【００６２】
前記実施形態の年間計画では、全ての教科について一覧表示するものであったが、道徳と、道徳以外の少なくとも１つの教科の年間計画を表示するものであっても良い。
【００６３】
また、前記実施形態では、学校及び学年の重要道徳目標と関連付けられた単元のみを色分けして表示するものであったが、重要道徳目標以外の道徳内容項目と関連付けられた単元についても色分けして表示しても良い。
【００６４】
さらに、前記実施形態では、指導計画として年間計画及び週案を作成するものであったが、その他、２年間にわたる長期の指導計画、学期ごとの指導計画、又は、月ごとの指導計画を作成するものであっても良い。
【００６５】
その他、本発明は前記実施形態に限られず、その趣旨を逸脱しない範囲で種々の変形が可能であるのは言うまでもない。
【符号の説明】
【００６６】
１・・・年間計画作成システム
２・・・受付部
３・・・格納部
４・・・表示制御部
【図１】
2019191911.tif 000003
【図２】
2019191911.tif 000004
【図３】
2019191911.tif 000005
【図４】
2019191911.tif 000006
【図５】
2019191911.tif 000007
【図６】
2019191911.tif 000008
【図７】
2019191911.tif 000009
【図８】
2019191911.tif 000010
【図９】
2019191911.tif 000011
【図１０】
2019191911.tif 000012
【図１１】
2019191911.tif 000013